(57)【特許請求の範囲】
【請求項１】
両面にセパレータを有する両面接着テープの一方のセパレータを台紙とし、他方のセパレータを保護用セパレータとし、当該保護用セパレータの外周に２箇所剥離用プルタブを設け、当該プルタブのうち一方のプルタブは前記保護用セパレータの角部に接し、他方のプルタブは当該角部に接していない剥離用プルタブ付両面接着テープの貼り付け方法であって、
前記台紙から前記両面接着テープを剥がす際には、前記保護用セパレータの前記他方のプルタブを使用し、前記両面接着テープから前記保護用セパレータを剥がす際には、前記保護用セパレータの前記一方のプルタブを使用することを特徴とする剥離用プルタブ付両面接着テープの貼り付け方法。
【請求項２】
両面にセパレータを有する両面接着テープの一方のセパレータを台紙とし、他方のセパレータを保護用セパレータとし、当該保護用セパレータの外周に２箇所剥離用プルタブを設け、当該プルタブのうち一方のプルタブは前記両面接着テープの外周に設けられた突出部に接し、他方のプルタブは当該突出部に接していない剥離用プルタブ付両面接着テープの貼り付け方法であって、
前記台紙から前記両面接着テープを剥がす際には、前記保護用セパレータの前記他方のプルタブを使用し、前記両面接着テープから前記保護用セパレータを剥がす際には、前記保護用セパレータの前記一方のプルタブを使用することを特徴とする剥離用プルタブ付両面接着テープの貼り付け方法。
【請求項３】
前記プルタブのうち少なくとも一方を、前記両面接着テープを貼り付ける位置の基準として使用することを特徴とする請求項１または２記載の剥離用プルタブ付両面接着テープの貼り付け方法。
【発明の詳細な説明】
【技術分野】
【０００１】
本発明は両面接着テープ剥離用プルタブ付両面接着テープの貼り付け方法に関するものである。
【背景技術】
【０００２】
両面接着テープには粘着材を保護する為に、両面にセパレータを設けている。この両方のセパレータは紙材のものやＰＥＴ基材のものが主として扱われている。一方のセパレータを台紙とし、台紙の上に所定形状の両面接着テープを貼着し、その上に保護用セパレータを貼着してある両面接着テープでは、台紙から両面接着テープを剥がす際に保護用セパレータに何か突起がないと両面接着テープは剥がしずらい。
【０００３】
前記欠点、すなわち台紙から容易に両面接着テープを剥がすことができ尚且つ貼り付ける際にも作業性を改善させた両面接着テープ構造が開示されている。（例えば特許文献１参照）
【０００４】
図５は前記特許文献１で開示されている両面接着テープのセパレータ構造図で斜視図ある。両面接着テープ５は保護用セパレータ６と台紙７との一体形状になり、保護用セパレータ６の剥離突片６ａ部から両面接着テープ５との剥離が容易にできるというものである。
【０００５】
【特許文献１】実開昭５３−８４６５９号公報
【発明の開示】
【発明が解決しようとする課題】
【０００６】
一般的にセパレータはシリコン塗布を施しており、その塗布量によって、両面接着テープと台紙、両面接着テープと保護用セパレータの剥離バランスを調整している。例えば、両面接着テープと台紙の接着強度より両面接着テープと保護用セパレータの接着強度を強くしておき、まず、保護用セパレータに両面接着テープが貼り付いた状態で台紙より剥離し、両面接着テープを目的物（以下被着体という）に貼着し、最後に保護用セパレータを剥離できるように調整される。塗布されているシリコン量にはバラツキが大きく、時として台紙から剥がす際に台紙側に両面接着テープが残ってしまったり、両面接着テープを被着体に貼着した後、保護用セパレータを剥がす際に保護用セパレータと一緒に両面接着テープも剥がれてしまう現象が起こる。両面接着テープの保護用セパレータ形状ではシリコン塗布量のバラツキが大きい場合、前記の不具合現象が少なからず発生する。特に額縁状に打ち抜いた両面接着テープでは、接着面積が小さくなるので影響が大きい。
【課題を解決するための手段】
【０００７】
両面にセパレータを有する両面接着テープの一方のセパレータを台紙とし、他方のセパレータを保護用セパレータとし、当該保護用セパレータの外周に２箇所剥離用プルタブを設け、当該プルタブのうち一方のプルタブは前記保護用セパレータの角部に接し、他方のプルタブは当該角部に接していない剥離用プルタブ付両面接着テープの貼り付け方法であって、前記台紙から前記両面接着テープを剥がす際には、前記保護用セパレータの前記他方のプルタブを使用し、前記両面接着テープから前記保護用セパレータを剥がす際には、前記保護用セパレータの前記一方のプルタブを使用する剥離用プルタブ付両面接着テープの貼り付け方法とする。
【０００８】
両面にセパレータを有する両面接着テープの一方のセパレータを台紙とし、他方のセパレータを保護用セパレータとし、当該保護用セパレータの外周に２箇所剥離用プルタブを設け、当該プルタブのうち一方のプルタブは前記両面接着テープの外周に設けられた突出部に接し、他方のプルタブは当該突出部に接していない剥離用プルタブ付両面接着テープの貼り付け方法であって、前記台紙から前記両面接着テープを剥がす際には、前記保護用セパレータの前記他方のプルタブを使用し、前記両面接着テープから前記保護用セパレータを剥がす際には、前記保護用セパレータの前記一方のプルタブを使用する剥離用プルタブ付両面接着テープの貼り付け方法とする。
【０００９】
前記プルタブのうち少なくとも一方を、前記両面接着テープを貼り付ける位置の基準として使用する剥離用プルタブ付両面接着テープの貼り付け方法とする。
【発明の効果】
【００１０】
本発明によると、シリコン塗布量のバラツキ現象を吸収でき、一方のプルタブでは台紙から両面接着テープが剥離でき、他方のプルタブでは両面接着テープから保護用セパレータが剥離できる。特に額縁状に打ち抜かれた両面接着テープでの効果が顕著である。
【００１１】
また、プルタブを２箇所以上設けることにより、被着体の形状にもよるが、前記プルタブを貼り付け位置の基準として使用することができ、貼付ズレをなくすことができる。
【発明を実施するための最良の形態】
【００１２】
両面にセパレータを有する両面接着テープの一方のセパレータを台紙とし、他方のセパレータを保護用セパレータとし、当該保護用セパレータの外周に２箇所剥離用プルタブを設け、当該プルタブのうち一方のプルタブは前記保護用セパレータの角部に接し、他方のプルタブは当該角部に接していない剥離用プルタブ付両面接着テープの貼り付け方法であって、前記台紙から前記両面接着テープを剥がす際には、前記保護用セパレータの前記他方のプルタブを使用し、前記両面接着テープから前記保護用セパレータを剥がす際には、前記保護用セパレータの前記一方のプルタブを使用する剥離用プルタブ付両面接着テープの貼り付け方法とする。
【実施例１】
【００１３】
以下図面により本発明による両面接着テープの貼り付け方法の実施形態を詳述する。図１（Ａ）〜（Ｃ）はいずれも本発明の一実施形態に係る両面接着テープ形状を示す上面図であり、図２は本発明に係る両面接着テープにおいて台紙からの実剥離動作を示す斜視図（Ａ）と上面図（Ｂ）である。図３は本発明に係る両面接着テープにおいて被着体から保護用セパレータのみを剥がす実剥離動作を示す斜視図（Ａ）と上面図（Ｂ）である。図４は図１（Ｃ）における被着体から保護用セパレータのみを剥がす実剥離動作を示す斜視図（Ａ）と上面図（Ｂ）である。
【００１４】
両面接着テープ１は額縁状に打ち抜かれた形状（黒塗りハッチング部）であり、保護フィルムの役割を担う保護用セパレータ２と台紙３によってサンドされている。プルタブ２ａ、２ｂは同一辺に２箇所（図１（Ｂ）参照）、もしくは非同一辺（異なる辺）に２箇所（図１（Ａ）、（Ｃ）参照）形成され、そのうちのどちらか一方は両面接着テープの角もしくは両面接着テープの外周に形成された突出部１ｃに接している。図１（Ａ）はプルタブ２ａ、２ｂがそれぞれ非同一辺上に形成されているものでプルタブ２ｂが両面接着テープ１の角に位置している。図１（Ｂ）はプルタブ２ａ、２ｂが共に同一辺上に形成されており、プルタブ２ｂが両面接着テープの隅に位置している。図１（Ｃ）はプルタブ２ａ、２ｂがそれぞれ非同一辺上に形成されているものでプルタブ２ｂが両面接着テープの突出部１ｃに位置している。この図１（Ａ）〜（Ｃ）では両面接着テープの中央に穴が開いた額縁形状となっているが、穴は開いてなくとも良い。
【００１５】
図２（Ａ）は台紙３から両面接着テープ１を剥がす実動作を示している。保護用セパレータ２のプルタブ２ａを持ち、台紙３から両面接着テープ１ごと剥がすことができる。このとき、両面接着テープ１に対しての台紙３と保護用セパレータ２の粘着力を比較すると台紙３側よりも保護用セパレータ２側に両面接着テープ１が貼り付き易く剥離バランスを設定するのが一般的である。上記を踏まえた上でプルタブの配置位置によって保護用セパレータと両面接着テープの被着強度が変わってくる。図２（Ｂ）で示しているのは台紙３から保護用セパレータ２＋両面接着テープ１を剥がす動作においてプルタブ２ａから剥がした場合と、プルタブ２ｂから剥がした場合との保護用セパレータ２に対する両面接着テープ１の貼り付き性を示している。プルタブ２ａから剥がす動作では保護用セパレータ２に貼り付こうとする両面接着テープ部（両面接着テープ１の粘着力）１ａが辺の中央を中心として左右両側の広範囲に渡っているので、両面接着テープ１は保護用セパレータ２に付いてき易い。逆に両面接着テープ１の角に位置しているプルタブ２ｂから剥がす動作では保護用セパレータ２に貼り付こうとする両面接着テープ部（両面接着テープ１の粘着力）１ｂが辺の角に偏ってしまうので、両面接着テープ１は保護用セパレータ２から剥離し易くなる。よってプルタブ２ｂと比較しプルタブ２ａを持って剥がす方が、両面接着テープが台紙３に残る可能性は少なくなる。前述の通り、元々両面接着テープ１に対しての台紙３と保護用セパレータ２の粘着力を比較すると台紙３側よりも保護用セパレータ２側に両面接着テープ１が貼り付き易く剥離バランスを設定してあるので、プルタブ２ａを持って剥がせば、両面接着テープが台紙３に残る可能性は限りなくゼロに近くできる。
【００１６】
図３（Ａ）は被着体４から保護用セパレータ２のみを剥がす実動作を示している。図３（Ｂ）で示しているのは両面接着テープ１から保護用セパレータ２を剥がす動作においてプルタブ２ａから剥がした場合と、プルタブ２ｂから剥がした場合との保護用セパレータ２に対する両面接着テープ１の貼り付き性を示している。プルタブ２ａから剥がす動作では保護用セパレータ２に貼り付こうとする両面接着テープ部１ａが辺の中央を中心として左右両側の広範囲に渡っているので、両面接着テープ１は保護用セパレータ２に付いてき易い。逆に両面接着テープ１の角に位置しているプルタブ２ｂから剥がす動作では保護用セパレータ２に貼り付こうとする両面接着テープ部１ｂが辺の角に偏ってしまうので、両面接着テープ１は保護用セパレータ２から剥離し易くなる。よってプルタブ２ｂと比較しプルタブ２ａを持って剥がす方が、両面接着テープが保護用セパレータ２に付いてくる可能性は少なくなる。
【実施例２】
【００１７】
図４（Ａ）は被着体４から保護用セパレータ２のみを剥がす実動作を示している。プルタブ２ｂを持ち保護用セパレータ２を剥がすことができる。このときにも図３（Ｂ）と同じ現象が起こっている。図４（Ｂ）で説明する。保護用セパレータ２に貼り付こうとする両面接着テープ１の粘着力はプルタブ２ａから剥がす動作では両面接着テープ部１ａに集中する。プルタブ２ｂから剥がす動作では両面接着テープの突出部１ｃ付近である両面接着テープ部１ｂに集中する。よってプルタブ２ａと比較しプルタブ２ｂを持って被着体４から剥がした方が両面接着テープが保護用セパレータ２に付いてくる可能性は少なくなる。両面接着テープの外周部に突出部１ｃを形成した効果である。従来形状ではプルタブ２ａ、２ｂがどちらか一方のみ形成されている為、図２（Ａ）の動作、図３（Ａ）の動作、図４（Ａ）の動作どちらかで剥離バランスの狂いが生じ易くなっていたが、本発明ではプルタブを２つ設け、プルタブでの剥離強度を変えておくことで、従来技術の課題を解決することができる。
【図面の簡単な説明】
【００１８】
【図１】本発明の一実施形態に係る両面接着テープ形状を示す上面図
【図２】本発明に係る両面接着テープにおいて台紙からの実剥離動作を示す斜視図（Ａ）と上面図（Ｂ）
【図３】本発明に係る両面接着テープにおいて被着体から保護用セパレータのみを剥がす実剥離動作を示す斜視図（Ａ）と上面図（Ｂ）
【図４】図１（Ｃ）における被着体から保護用セパレータのみを剥がす実剥離動作を示す斜視図（Ａ）と上面図（Ｂ）
【図５】従来技術における両面接着テープの構造図で斜視図
【符号の説明】
【００１９】
１    両面接着テープ
１ａ  両面接着テープ部（剥離用プルタブ２ａ付近に対する両面接着テープ１の粘着力）
１ｂ  両面接着テープ部（剥離用プルタブ２ｂ付近に対する両面接着テープ１の粘着力）
１ｃ  両面接着テープの外周に設けた突出部
２    保護用セパレータ
２ａ  剥離用プルタブ
２ｂ  剥離用プルタブ
３    台紙
４    被着体
５    両面接着テープ
６    保護用セパレータ
６ａ  剥離突片
７    台紙
【図１】
0004633394.tif 000002
【図２】
0004633394.tif 000003
【図３】
0004633394.tif 000004
【図４】
0004633394.tif 000005
【図５】
0004633394.tif 000006